(57)【特許請求の範囲】
【請求項１】
ビデオ信号を出力するビデオ信号出力装置に設けられたビデオ信号出力用の端子に接続され、表示部を有さず、前記ビデオ信号出力用の端子から出力されたビデオ信号を無線通信で送信する第１無線通信装置と、
前記ビデオ信号に基づいた画像を表示する画像表示装置に設けられたビデオ信号入力用の端子に接続され、表示部を有さず、前記第１無線通信装置によって送信されたビデオ信号を前記ビデオ信号入力用の端子に入力させる少なくとも１つの第２無線通信装置と、を備えた無線通信システムにおいて、
前記第１および第２無線通信装置は、第１および第２発光部をそれぞれ有し、
前記第２無線通信装置は、
前記第２無線通信装置固有の発光状態で前記第２発光部を発光させる発光制御部を有し、
前記第１無線通信装置は、
前記第２無線通信装置と前記発光状態とを対応させて記憶する発光状態記憶部と、
前記発光状態記憶部に記憶された発光状態で前記第１発光部を一定時間間隔で順次発光させる発光制御部と、
選択ボタンと、
前記選択ボタンが押下されたときの前記第１発光部の発光状態と同一な発光状態に前記発光状態記憶部で対応付けられている第２無線通信装置との間でペアリングを行うペアリング部と、を有することを特徴とする無線通信システム。
【請求項２】
前記第２無線通信装置は、
前記第２発光部の発光状態を決定する発光状態決定部と、
前記発光状態決定部によって決定された発光状態を表す発光状態情報を送信する発光状態情報送信部と、を有し、
前記第１無線通信装置は、
前記第２無線通信装置から送信された発光状態情報に基づいて、前記第２無線通信装置に対応する発光状態を前記発光状態記憶部に登録する発光状態登録部を有することを特徴とする請求項１に記載の無線通信システム。
【請求項３】
前記発光状態決定部は、操作部を有し、前記操作部によって選択された発光状態を前記第２発光部の発光状態として決定することを特徴とする請求項２に記載の無線通信システム。
【請求項４】
前記発光状態決定部は、他の第２無線通信装置によって送信された発光状態情報に基づいて、前記他の第２無線通信装置とは異なる発光状態を前記第２発光部の発光状態として決定することを特徴とする請求項２に記載の無線通信システム。
【請求項５】
前記発光状態情報送信部は、ビーコンフレームで前記発光状態情報を送信することを特徴とする請求項２乃至請求項４の何れかに記載の無線通信システム。
【請求項６】
前記発光状態登録部は、前記ビーコンフレームから前記発光状態情報を取得することを特徴とする請求項５に記載の無線通信システム。
【請求項７】
前記発光状態は、発光色を表すことを特徴とする請求項１乃至請求項６のいずれかに記載の無線通信システム。
【請求項８】
前記発光状態は、発光数を表すことを特徴とする請求項１乃至請求項６のいずれかに記載の無線通信システム。
【請求項９】
ビデオ信号を出力するビデオ信号出力装置に設けられたビデオ信号出力用の端子に接続され、表示部を有さず、前記ビデオ信号出力用の端子から出力されたビデオ信号を無線通信で送信する第１無線通信装置と、
前記ビデオ信号に基づいた画像を表示する画像表示装置に設けられたビデオ信号入力用の端子に接続され、表示部を有さず、前記第１無線通信装置によって送信されたビデオ信号を前記ビデオ信号入力用の端子に入力させる少なくとも１つの第２無線通信装置と、を備えた無線通信システムを用いた無線通信方法において、
前記第２無線通信装置が、前記第２無線通信装置固有の発光状態で第２発光部を発光させる第１発光制御ステップと、
前記第１無線通信装置が、前記第２無線通信装置と前記発光状態とを対応させて記憶する発光状態記憶部に記憶された発光状態で第１発光部を一定時間間隔で順次発光させる第２発光制御ステップと、
前記第１無線通信装置が、前記第１無線通信装置に設けられた選択ボタンが押下されたときの前記第１発光部の発光状態と同一な発光状態に前記発光状態記憶部で対応付けられている第２無線通信装置との間でペアリングを行うペアリングステップと、を含む無線通信方法。
【発明の詳細な説明】
【技術分野】
【０００１】
本発明は、無線通信システムに関し、特に、ビデオ信号を出力するビデオ信号出力装置と、ビデオ信号に基づいた画像を表示する画像表示装置との間で無線通信を行う無線通信システムに関する。
【背景技術】
【０００２】
近年、ホストＰＣ（Personal Computer）に取り込んだプレゼンテーションデータや動画データを無線通信を利用してプロジェクタ装置に送信し、スクリーンに映写して、プレゼンテーションを行ったり、居間をホームシアター化したりすることが盛んになっている。
【０００３】
また、近距離無線通信においては、ホストＰＣやＡＶ（Audio Visual）機器間で、高品質な映像や音の通信や大量なデータのやりとりが実現できるワイヤレスＵＳＢ（Universal Serial Bus）といった規格がある。
【０００４】
このワイヤレスＵＳＢには、無線通信方式として、ＷｉＭｅｄｉａ  Ａｌｌｉａｎｃｅが推進するＵＷＢ（Ultra Wideband）方式が採用されている。ＵＷＢは、低消費電力でありながら、現在普及しているＩＥＥＥ８０２．１１ａ／ｂ／ｇをはるかに上回る高速通信を実現することを可能にしている。
【０００５】
さらに、ＩＥＥＥ８０２．１１ａ／ｂ／ｇでは、その普及に伴って、電波の混雑が問題になってきているが、ＵＷＢでは３．１〜１０．６ＧＨｚ帯域を用いて通信が行われるため、ＩＥＥＥ８０２．１１ａ／ｂ／ｇの通信の影響を受けることなく、安定した伝送速度で通信を行わせることができる。このような理由により、ホストＰＣ等のビデオ信号出力装置と、プロジェクタ等の画像表示装置との間において、ＵＷＢ方式で無線通信を行うことが注目されている。
【０００６】
しかし、一般的に、ホストＰＣやプロジェクタは、ＵＷＢ方式の無線通信に準拠していないため、ホストＰＣとプロジェクタとの間でＵＷＢ方式の無線通信を行うためには、ＵＷＢ方式の無線通信装置をホストＰＣとプロジェクタとにそれぞれ設ける必要がある。
【０００７】
また、ホストＰＣ側のＵＷＢ方式の無線通信装置と、プロジェクタ側のＵＷＢ方式の無線通信装置とは、ペアで販売されている場合が多く、２つの無線通信装置は、出荷時に相互に機器登録すなわちペアリングが完了している。そのため、ユーザは、ペアリングの設定を行うことなく、無線通信装置を設置した後、すぐに、ホストＰＣからプロジェクタにビデオ信号を送信し、スクリーンに画面を表示させることができる。
【０００８】
しかし、このようにペアリングが完了している無線通信装置は、限られた１台のプロジェクタに用いる場合には非常に便利だが、他のプロジェクタに用いる場合や複数のプロジェクタがある場合には、無線通信装置を設置し直したり、ペアリングをやり直したりしなくてはならない。
【０００９】
このペアリングの方法は、ＵＳＢ  ＩＦ（USB Implemental Forum）によって策定されたCertifed Wireless USB規格においては、ケーブル式（Cable Association Model）と、数値式（Numeric Association Model）との２つが規格化されている。
【００１０】
ケーブル式は、無線接続を行う前に、無線通信装置間を直接にケーブルで接続しなければならず利便性に欠ける。一方、数値式は、各無線通信装置に表示される数字が一致するのを確認して接続ボタンを押させる仕組みであるため、無線通信装置に数字を表示するために表示部が設けられていなければならない。
【００１１】
また、ケーブル式および数値式の他にも、数値を直接入力したり、２つの数値式を同時に１つのホストＰＣに設置してペアリングを行う方式もある。いずれの方式も、ケーブル、表示部またはキーボード等を無線通信装置に設ける必要があったり、ホストＰＣに専用のソフトがインストールされている必要があるために、多大な手間やコストがかかる。
【００１２】
さらに、ホストＰＣからＶＧＡ（Video Graphics Array）端子を介してビデオ信号をＵＷＢ方式の無線通信装置に入力、または、ＵＷＢ方式の無線通信装置からビデオ信号をＶＧＡ端子を介してプロジェクタに入力する場合には、ペアリングを行うために、ＵＷＢ方式の無線通信装置に表示装置を設置したり、ホストＰＣにインストールされた専用のソフトで設定するためのＵＳＢドングルを設置したりしなければならないため、非常にコストがかかる。
【００１３】
例えば、従来の無線通信システムとしては、無線プロジェクタがスクリーンに対して無線プロジェクタ情報表示画面を投射し、その無線プロジェクタ情報表示画面がスクリーン上に表示されている期間に撮像装置の選択ボタンが押下されたときに、無線プロジェクタと撮像装置との間の接続を確立することにより、誤接続を低減するものがある（例えば、特許文献１参照）。
【発明の概要】
【発明が解決しようとする課題】
【００１４】
しかしながら、このような従来の無線通信システムは、無線通信装置が内蔵されているプロジェクタ装置が必要であり、無線プロジェクタ情報表示画面を投射するための専用のソフトウェアをプロジェクタ装置にインストールしておく必要があるため、コストがかかるといった課題があった。
【００１５】
本発明は、このような従来の課題を解決するためになされたもので、ビデオ信号を出力するビデオ信号出力装置に接続された無線通信装置と、ビデオ信号に基づいた画像を表示する画像表示装置に接続された無線通信装置とのペアリングを低コストで容易に行わせることができる無線通信システムを提供することを目的とする。
【課題を解決するための手段】
【００１６】
本発明の無線通信システムは、ビデオ信号を出力するビデオ信号出力装置に設けられたビデオ信号出力用の端子に接続され、表示部を有さず、前記ビデオ信号出力用の端子から出力されたビデオ信号を無線通信で送信する第１無線通信装置と、前記ビデオ信号に基づいた画像を表示する画像表示装置に設けられたビデオ信号入力用の端子に接続され、表示部を有さず、前記第１無線通信装置によって送信されたビデオ信号を前記ビデオ信号入力用の端子に入力させる少なくとも１つの第２無線通信装置と、を備えた無線通信システムにおいて、前記第１および第２無線通信装置は、第１および第２発光部をそれぞれ有し、前記第２無線通信装置は、前記第２無線通信装置固有の発光状態で前記第２発光部を発光させる発光制御部を有し、前記第１無線通信装置は、前記第２無線通信装置と前記発光状態とを対応させて記憶する発光状態記憶部と、前記発光状態記憶部に記憶された発光状態で前記第１発光部を一定時間間隔で順次発光させる発光制御部と、選択ボタンと、前記選択ボタンが押下されたときの前記第１発光部の発光状態と同一な発光状態に前記発光状態記憶部で対応付けられている第２無線通信装置との間でペアリングを行うペアリング部と、を有するように構成されている。
【発明の効果】
【００１７】
本発明は、ビデオ信号を出力するビデオ信号出力装置に接続された無線通信装置と、ビデオ信号に基づいた画像を表示する画像表示装置に接続された無線通信装置とのペアリングを低コストで容易に行わせることができる無線通信システムを提供することができる。
【図面の簡単な説明】
【００１８】
【図１】本発明の第１の実施の形態に係る無線通信システムを示すブロック図である。
【図２】本発明の第１の実施の形態に係る第１無線通信装置を示すブロック図である。
【図３】本発明の第１の実施の形態に係る第２無線通信装置を示すブロック図である。
【図４】本発明の第１の実施の形態に係る第１無線通信装置のペアリング動作を示すフローチャートである。
【図５】本発明の第１の実施の形態に係る第２無線通信装置のペアリング動作を示すフローチャートである。
【図６】本発明の実施の形態に係る第１および第２無線通信装置の他の態様を示す外観図である。
【図７】本発明の第２の実施の形態に係る第１無線通信装置を示すブロック図である。
【図８】本発明の第２の実施の形態に係る第２無線通信装置を示すブロック図である。
【図９】本発明の第２の実施の形態に係る第１無線通信装置のペアリング動作を示すフローチャートである。
【図１０】本発明の第２の実施の形態に係る第２無線通信装置のペアリング動作を示すフローチャートである。
【図１１】本発明の第３の実施の形態に係る第２無線通信装置を示すブロック図である。
【発明を実施するための形態】
【００１９】
以下、本発明の実施の形態について、図面を参照して説明する。
【００２０】
（第１の実施の形態）
図１に示すように、本発明の第１の実施の形態に係る無線通信システム１は、ビデオ信号を出力するビデオ信号出力装置としてのホストＰＣ１０と、ホストＰＣ１０に設けられたビデオ信号出力用の端子に接続された第１無線通信装置１１と、ビデオ信号に基づいた画像を表示する画像表示装置としてのプロジェクタ１２ａ、１２ｂと、プロジェクタ１２ａ、１２ｂに設けられたビデオ信号入力用の端子にそれぞれ接続された第２無線通信装置１３ａ、１３ｂとを備えている。
【００２１】
なお、図１において、２つのプロジェクタ１２ａ、１２ｂと、２つの第２無線通信装置１３ａ、１３ｂが図示されているが、本発明に係る無線通信システムを構成するプロジェクタおよび第２無線通信装置の数を限定するものではない。
【００２２】
また、プロジェクタ１２ａ、１２ｂを総称して、以下「プロジェクタ１２」と記載し、第２無線通信装置１３ａ、１３ｂを総称して、以下「第２無線通信装置１３」と記載する。
【００２３】
本実施の形態において、ホストＰＣ１０は、一般的なパーソナルコンピュータによって構成され、ビデオ信号出力用の端子として、ＶＧＡ端子を有している。第１無線通信装置１１は、ＶＧＡケーブルを介してホストＰＣ１０のＶＧＡ端子に接続されている。
【００２４】
また、プロジェクタ１２は、一般的なプロジェクタによって構成され、ビデオ信号入力用の端子として、ＶＧＡ端子を有している。第２無線通信装置１３は、ＶＧＡケーブルを介してプロジェクタ１２のＶＧＡ端子に接続されている。
【００２５】
第１無線通信装置１１は、表示部を有さず、無線通信を行うためのアンテナ２０と、選択ボタン２１と、互いに異なる色で発光する複数のＬＥＤ（Light Emitting Diode）によって構成された第１発光部２２とを有している。第２無線通信装置１３は、表示部を有さず、無線通信を行うためのアンテナ３０と、互いに異なる色で発光する複数のＬＥＤによって構成された第２発光部３１とを有している。
【００２６】
図２に示すように、第１無線通信装置１１は、アンテナ２０と、選択ボタン２１と、第１発光部２２と、ＶＧＡ端子２３とに加えて、アンテナ２０を介した無線通信を行う無線通信部２４と、第２無線通信装置１３と発光状態との対応関係を記憶する発光状態記憶部２５と、発光状態記憶部２５に記憶された発光状態で第１発光部２２を一定時間間隔で順次発光させる発光制御部２６と、第２無線通信装置１３との間でペアリングを行うペアリング部２７とを備えている。
【００２７】
無線通信部２４は、ＵＷＢ方式を採用したワイヤレスＵＳＢ規格に準拠した無線通信モジュールおよびＣＰＵ等のプロセッサによって構成され、例えば、ＶＧＡ端子２３から入力されたビデオ信号を含むベースバンド信号を高周波信号にアップコンバートし、アンテナ２０を介して送信するようになっている。
【００２８】
発光状態記憶部２５は、フラッシュメモリ等の不揮発性の記憶媒体によって構成されている。発光状態記憶部２５には、第２無線通信装置１３と発光状態との対応関係が記憶される。ここで、ワイヤレスＵＳＢ規格では、ペアリングを行うために、コネクション・コンテキスト（ＣＣ）と呼ばれる情報をホストとデバイスとで予め同一に定めておく必要がある。本実施の形態においては、第１無線通信装置１１がホストに該当し、第２無線通信装置１３がデバイスに該当する。
【００２９】
ここで、ＣＣは、ホスト固有のＣＨＩＤ（Connection Host ID）、デバイス固有のＣＤＩＤ（Connection Device ID）およびＣＫ（Connection Key）からなる。本実施の形態において、発光状態記憶部２５には、第２無線通信装置１３との間で定めれたＣＣと、第２発光部３１の発光状態とが対応付けられて記憶されている。また、発光状態は、発光色を表すこととする。
【００３０】
発光制御部２６は、ＣＰＵ（Central Processing Unit）等のプロセッサによって構成され、発光状態記憶部２５に記憶されたＣＣのなかで、起動されている第２無線通信装置１３との間で定められたＣＣに対応付けられている発光色で、第１発光部２２を一定時間間隔（例えば、１秒間隔）で順次発光させるようになっている。
【００３１】
ＷｉＭｅｄｉａ  Ａｌｌｉａｎｃｅによって規格化されているＭＡＣ  Ｓｐｅｃｉｆｉｃａｔｉｏｎでは、ビーコンフレームが規格化されている（非特許文献１参照）。この規格において、各無線通信装置は、各スーパーフレームの先頭でビーコンフレームを送信しなければならない。発光制御部２６は、ビーコンフレームに含まれるＣＤＩＤに基づいて、起動されている第２無線通信装置１３を特定するようになっている。
【００３２】
例えば、発光制御部２６は、起動されている第２無線通信装置１３ａ、１３ｂとの間で定められたＣＣに発光状態記憶部２５で対応付けられている発光色がそれぞれ赤色および青色である場合には、第１発光部２２を一定時間間隔で赤色と青色とに順次繰り返して発光させるようになっている。
【００３３】
ペアリング部２７は、ＣＰＵ等のプロセッサによって構成され、選択ボタン２１が押下されたときに第１発光部２２の発光色を発光制御部２６から取得し、取得した発光色と同一な発光色に発光状態記憶部２５で対応付けられているＣＣを取得するようになっている。
【００３４】
また、ペアリング部２７は、取得したＣＣに含まれるＣＨＩＤ、ＣＤＩＤおよびＣＫに基づいて、ＣＤＩＤが割り当てられた第２無線通信装置１３との間で無線通信部２４を介してＣＫを照合することでＣＣを共有することにより、ペアリングを行うようになっている。
【００３５】
図３に示すように、第２無線通信装置１３は、アンテナ３０と、第２発光部３１と、ＶＧＡ端子３２とに加えて、第２無線通信装置１３固有の発光色で第２発光部３１を発光させる発光制御部３３と、アンテナ３０を介した無線通信を行う無線通信部３４とを有している。
【００３６】
発光制御部３３は、ＣＰＵ等のプロセッサによって構成され、他の第２無線通信装置１３の第２発光部３１とは異なるように予め設定された発光色で第２発光部３１を発光させるようになっている。
【００３７】
無線通信部３４は、ＵＷＢ方式を採用したワイヤレスＵＳＢ規格に準拠した無線通信モジュールおよびＣＰＵ等のプロセッサによって構成され、例えば、アンテナ３０を介して受信された高周波信号をベースバンド信号にダウンコンバートし、ベースバンド信号から得られるビデオ信号をＶＧＡ端子３２から出力するようになっている。
【００３８】
また、無線通信部３４は、第２無線通信装置１３に割り当てられたＣＤＩＤを含むビーコンフレームを送信することにより、第１無線通信装置１１との間でＣＫを照合することでＣＣを共有することにより、ペアリングを行うようになっている。
【００３９】
以上のように構成された無線通信システム１のペアリング動作について図４および図５を参照して説明する。図４は、第１無線通信装置１１のペアリング動作を示す。なお、図４に示す第１無線通信装置１１のペアリング動作は、定期的に実行される第１無線通信装置１１の動作の１つとして繰り返し実行される。
【００４０】
まず、第２無線通信装置１３から送信されているビーコンフレームに基づいて、起動されている第２無線通信装置１３が発光制御部２６によって検出される（ステップＳ１）。次に、検出された第２無線通信装置１３の第２発光部３１と同一な発光色で第１発光部２２が一定時間間隔で順次発光する（ステップＳ２）。
【００４１】
より詳細には、検出された第２無線通信装置１３との間で定められたＣＣに発光状態記憶部２５で対応付けられている各発光色で第１発光部２２が一定時間間隔で順次発光するよう発光制御部２６によって制御される。
【００４２】
ここで、選択ボタン２１が押下されると（ステップＳ３）、選択ボタン２１が押下されたときの第１発光部２２と同一な発光色で発光している第２発光部３１を有する第２無線通信装置１３とのペアリングがペアリング部２７によって行われる（ステップＳ４）。
【００４３】
より詳細には、選択ボタン２１が押下されたときの第１発光部２２の発光色と同一な発光色に発光状態記憶部２５で対応付けられているＣＣに含まれるＣＤＩＤが割り当てられた第２無線通信装置１３とのペアリングがペアリング部２７によって行われる。
【００４４】
このように、第１無線通信装置１１と第２無線通信装置１３とのペアリングが完了すると、第１無線通信装置１１は、第１無線通信装置１１と第２無線通信装置１３との間で共有されたＣＣに基づいて、第２無線通信装置１３と接続することが可能となる。
【００４５】
また、第１無線通信装置１１と第２無線通信装置１３とが接続されると、ホストＰＣ１０からＶＧＡ端子２３を介して入力されたビデオ信号を含むベースバンド信号が無線通信部２４によって高周波信号にアップコンバートされ、アンテナ２０を介して第２無線通信装置１３に送信される。
【００４６】
図５は、第２無線通信装置１３のペアリング動作を示す。なお、図５に示す第２無線通信装置１３のペアリング動作は、定期的に実行される第２無線通信装置１３の動作の１つとして繰り返し実行される。
【００４７】
まず、第２発光部３１が、予め定められた発光色で発光するよう発光制御部３３によって制御される（ステップＳ１１）。また、第２無線通信装置１３に割り当てられたＣＤＩＤを含むビーコンフレームが無線通信部３４によって送信される（ステップＳ１２）。
【００４８】
この、ビーコンフレームの送信によって第１無線通信装置１１との間でペアリングが行われると、上述したように、第１無線通信装置１１は、第１無線通信装置１１と第２無線通信装置１３との間で共有されたＣＣに基づいて、第２無線通信装置１３と接続することが可能となる。
【００４９】
また、第１無線通信装置１１と第２無線通信装置１３とが接続されると、アンテナ３０を介して受信された高周波信号が無線通信部３４によってベースバンド信号にダウンコンバートされ、ベースバンド信号から得られるビデオ信号がＶＧＡ端子３２から出力される。
【００５０】
ＶＧＡ端子３２から出力されたビデオ信号は、プロジェクタ１２に入力され、このビデオ信号に基づいた映像がプロジェクタ１２によってスクリーン等の投影対象物に投影される。
【００５１】
以上に説明したように、本発明の第１の実施の形態に係る無線通信システム１は、第１無線通信装置１１および第２無線通信装置１３にそれぞれ設けられた第１発光部２２および第２発光部３１の発光状態が同一であるときに選択ボタン２１が押下された場合に、第１無線通信装置１１と当該第２無線通信装置１３とのペアリングを行うため、第１無線通信装置１１と第２無線通信装置１３とのペアリングを低コストで容易に行わせることができる。
【００５２】
すなわち、ユーザが、第１無線通信装置１１および第２無線通信装置１３にそれぞれ設けられた第１発光部２２および第２発光部３１の発光状態を視認により比較して選択ボタン２１を押下するだけで、ホストＰＣ１０と無線で接続させるプロジェクタが変更されるため、本発明の実施の形態に係る無線通信システム１は、ホストＰＣ１０と無線で接続させるプロジェクタを容易に変更させることができる。
【００５３】
また、本発明の実施の形態に係る無線通信システム１は、第１無線通信装置１１および第２無線通信装置１３に表示部やキーボード装置を設ける必要がないため、安価に構成することができる。
【００５４】
なお、本発明の実施の形態において、本発明に係るビデオ信号出力装置をホストＰＣ１０のように一般的なパーソナルコンピュータによって構成した例について説明したが、本発明に係るビデオ信号出力装置は、ビデオプレーヤ、ＤＶＤ（Digital Versatile Disc）プレーヤ、ブルーレイディスクプレーヤ、フォトフレームおよび携帯電話等のようにビデオ信号を出力できるその他の装置によって構成してもよい。
【００５５】
また、本発明の実施の形態において、本発明に係るビデオ信号出力装置をプロジェクタ１２のように一般的なプロジェクタによって構成した例について説明したが、本発明に係るビデオ信号入力装置は、液晶ディスプレイ、プラズマディスプレイおよび有機ＥＬ（Electro-Luminescence）ディスプレイ等のように入力されたビデオ信号に基づいて画像を表示するその他の装置によって構成してもよい。
【００５６】
また、本発明の実施の形態において、ホストＰＣ１０および第１無線通信装置１１は、ＶＧＡ端子をそれぞれ有し、ＶＧＡケーブルを介して相互に接続されているものとして説明したが、本発明において、ホストＰＣ１０および第１無線通信装置１１は、ＤＶＩ（Digital Visual Interface）端子、ＨＤＭＩ（High-Definition Multimedia Interface）端子およびＤｉｓｐｌａｙＰｏｒｔ等のビデオ信号を出力できるその他の端子を共通に有し、当該端子に適合したケーブルを介して相互に接続されていてもよい。
【００５７】
また、本発明の実施の形態において、プロジェクタ１２および第２無線通信装置１３は、ＶＧＡ端子をそれぞれ有し、ＶＧＡケーブルを介して相互に接続されているものとして説明したが、本発明において、プロジェクタ１２および第２無線通信装置１３は、ＤＶＩ（Digital Visual Interface）端子、ＨＤＭＩ（High-Definition Multimedia Interface）端子およびＤｉｓｐｌａｙＰｏｒｔ等のビデオ信号を出力できるその他の端子を有し、当該端子に適合したケーブルを介して相互に接続されていてもよい。
【００５８】
また、本発明の実施の形態において、第１無線通信装置１１と第２無線通信装置１３とがＵＷＢ方式を採用したワイヤレスＵＳＢ規格に準拠して無線通信を行う例について説明したが、本発明において、第１無線通信装置１１と第２無線通信装置１３とは、無線ＬＡＮ（Local Area Network）規格等のその他の無線通信規格に準拠して無線通信を行うようにしてもよい。
【００５９】
例えば、第１無線通信装置１１と第２無線通信装置１３とが、無線ＬＡＮ規格に準拠して無線通信を行う場合には、発光状態記憶部２５には、第２無線通信装置１３のＳＳＩＤ（Service Set Identifier）と、第２無線通信装置１３の第２発光部３１の発光状態とが対応付けられて記憶されるようにする。
【００６０】
また、第１無線通信装置１１と第２無線通信装置１３とが、その他の無線通信規格に準拠して無線通信を行う場合には、発光状態記憶部２５には、第２無線通信装置１３のＭＡＣ（Media Access Control）アドレスと、第２無線通信装置１３の第２発光部３１の発光状態とが対応付けられて記憶されるようにしてもよい。
【００６１】
また、本発明の実施の形態において、第１無線通信装置１１の第１発光部２２は、異なる色で発光する複数のＬＥＤによって構成され、第２無線通信装置１３の第２発光部３１は、異なる色で発光する複数のＬＥＤによって構成され、発光状態が発光色を表すこととして説明した。
【００６２】
しかしながら、本発明においては、第１無線通信装置１１が複数の第１発光部を備え、第２無線通信装置１３が複数の第２発光部を備え、発光状態が発光数を表すようにしてもよい。
【００６３】
例えば、図６に示すように、第１無線通信装置１１が第１発光部２２ａ、２２ｂを備え、第２無線通信装置１３ａが第２発光部３１ａ、３１ｂを備え、第２無線通信装置１３ｂが第２発光部３１ａ、３１ｂを備え、第２無線通信装置１３ａの発光数を１とした場合には、発光制御部３３は、第２発光部３１ａのみを発光させ、第２無線通信装置１３ｂの発光数を２として定めた場合には、発光制御部３３は、第２発光部３１ａ、３１ｂの双方を発光させる。
【００６４】
なお、第１無線通信装置１１が複数の第１発光部を備え、第２無線通信装置１３が複数の第２発光部を備える場合には、第１無線通信装置１１が備える第１発光部と、第２無線通信装置１３が備える第２発光部とは、同数であれば、それらの数は限定されない。
【００６５】
また、第１無線通信装置１１が複数の第１発光部を備え、第２無線通信装置１３が複数の第２発光部を備え、発光状態が発光色と発光数との組み合わせを表すようにしてもよい。
【００６６】
また、本発明においては、第１無線通信装置１１のＶＧＡ端子２３と無線通信部２４との間に、ＪＰＥＧ（Joint Photographic Experts Group）方式やＭＰＥＧ（Moving Picture Experts Group）方式に代表される任意のフォーマットにビデオ信号を圧縮する圧縮部を設け、第２無線通信装置１３のＶＧＡ端子３２と無線通信部３４との間に、圧縮されたビデオ信号を伸長する伸長部を設けるようにしてもよい。
【００６７】
この場合には、第１無線通信装置１１に設けられる圧縮部および第２無線通信装置１３に設けられる伸長部は、ＣＰＵやＤＳＰ（Digital Signal Processing）等のプロセッサによって構成されてもよく、集積回路等のハードウェア回路によって構成されてもよい。
【００６８】
（第２の実施の形態）
以下、本発明の第２の実施の形態について説明する。なお、本発明の第２の実施の形態に係る無線通信システムは、本発明の第１の実施の形態に係る無線通信システム１に対して、第１無線通信装置１１に代えて、第１無線通信装置４１が設けられ、第２無線通信装置１３に代えて、第２無線通信装置４２が設けられる。
【００６９】
図７に示すように、第１無線通信装置４１は、本発明の第１の実施の形態における第１無線通信装置１１を構成するアンテナ２０と、選択ボタン２１と、第１発光部２２と、ＶＧＡ端子２３と、無線通信部２４と、発光状態記憶部２５と、発光制御部２６と、ペアリング部２７とに加えて、第２無線通信装置４２に対応する発光状態を第２無線通信装置４２から送信された発光状態情報に基づいて発光状態記憶部２５に登録する発光状態登録部２８を備えている。
【００７０】
なお、本実施の形態においては、発光状態記憶部２５には、第２無線通信装置４２との間で定められたＣＣが記憶されているが、ＣＣに対応する第２発光部３１の発光状態が初期状態においては記憶されていない。
【００７１】
前述したＭＡＣ  Ｓｐｅｃｉｆｉｃａｔｉｏｎで規格化されているビーコンフレームには、予め決められた制御用情報の他にアプリケーション用のデータを付加することができる。後述するように、第２無線通信装置４２は、第２発光部３１の発光状態を表す発光状態情報をビーコンフレームに付加するようになっている。
【００７２】
発光状態登録部２８は、ＣＰＵ等のプロセッサによって構成され、第２無線通信装置４２から送信された発光状態情報に基づいて、第２無線通信装置４２に対応する発光状態を発光状態記憶部２５に登録するようになっている。
【００７３】
図８に示すように、第２無線通信装置４２は、本発明の第１の実施の形態における第２無線通信装置４２を構成するアンテナ３０と、第２発光部３１と、ＶＧＡ端子３２と、発光制御部３３と、無線通信部３４とに加えて、第２発光部３１の発光状態を決定する発光状態決定部３５と、発光状態決定部３５によって決定された発光状態を表す発光状態情報を送信する発光状態情報送信部３６とを備えている。
【００７４】
発光状態決定部３５は、ロータリースイッチ等のコントローラによって構成された操作部を有し、操作部によって選択された発光状態を第２発光部３１の発光状態として発光色を決定するようになっている。
【００７５】
発光状態情報送信部３６は、ＣＰＵ等のプロセッサによって構成され、発光状態決定部３５によって決定された発光状態を表す発光状態情報を無線通信部３４を介して送信するようになっている。
【００７６】
具体的には、発光状態情報送信部３６は、前述したように、発光状態決定部３５によって決定された発光状態を表す発光状態情報をビーコンフレームに付加することにより、発光状態情報を無線通信部３４を介して送信するようになっている。
【００７７】
以上のように構成された無線通信システムのペアリング動作について図９および図１０を参照して説明する。図９は、第１無線通信装置４１のペアリング動作を示す。なお、図９に示す第１無線通信装置４１のペアリング動作は、定期的に実行される第１無線通信装置４１の動作の１つとして繰り返し実行される。
【００７８】
まず、第２無線通信装置４２から送信されているビーコンフレームに基づいて、起動されている第２無線通信装置４２が発光制御部２６によって検出される（ステップＳ３１）。
【００７９】
また、第２無線通信装置４２から送信されているビーコンフレームに含まれる発光状態情報に基づいて、第２無線通信装置４２に対応する発光状態が発光状態登録部２８によって発光状態記憶部２５にＣＣに対応付けられて登録される（ステップＳ３２）。
【００８０】
次に、検出された第２無線通信装置４２の第２発光部３１と同一な発光色で第１発光部２２が一定時間間隔で順次発光する（ステップＳ３３）。より詳細には、検出された第２無線通信装置４２との間で定められたＣＣに発光状態記憶部２５で対応付けられている各発光色で第１発光部２２が一定時間間隔で順次発光するよう発光制御部２６によって制御される。
【００８１】
ここで、選択ボタン２１が押下されると（ステップＳ３４）、選択ボタン２１が押下されたときの第１発光部２２と同一な発光色で発光している第２発光部３１を有する第２無線通信装置４２とのペアリングがペアリング部２７によって行われる（ステップＳ３５）。
【００８２】
より詳細には、選択ボタン２１が押下されたときの第１発光部２２の発光色と同一な発光色に発光状態記憶部２５で対応付けられているＣＣに含まれるＣＤＩＤが割り当てられた第２無線通信装置４２とのペアリングがペアリング部２７によって行われる。
【００８３】
このように、第１無線通信装置４１と第２無線通信装置４２とのペアリングが完了すると、第１無線通信装置４１は、第１無線通信装置４１と第２無線通信装置４２との間で共有されたＣＣに基づいて、第２無線通信装置４２と接続することが可能となる。
【００８４】
また、第１無線通信装置４１と第２無線通信装置４２とが接続されると、ホストＰＣ１０からＶＧＡ端子２３を介して入力されたビデオ信号を含むベースバンド信号が無線通信部２４によって高周波信号にアップコンバートされ、アンテナ２０を介して第２無線通信装置４２に送信される。
【００８５】
図１０は、第２無線通信装置４２のペアリング動作を示す。なお、図１０に示す第２無線通信装置４２のペアリング動作は、定期的に実行される第２無線通信装置４２の動作の１つとして繰り返し実行される。
【００８６】
まず、第２発光部３１が、発光状態決定部３５によって決定された発光色で発光するよう発光制御部３３によって制御される（ステップＳ４１）。また、第２無線通信装置４２に割り当てられたＣＤＩＤと、発光状態決定部３５によって決定された発光色を表す発光状態情報とを含むビーコンフレームが無線通信部３４によって送信される（ステップＳ４２）。
【００８７】
この、ビーコンフレームの送信によって第１無線通信装置４１との間でペアリングが行われると、前述したように、第１無線通信装置４１は、第１無線通信装置４１と第２無線通信装置４２との間で共有されたＣＣに基づいて、第２無線通信装置４２と接続することが可能となる。
【００８８】
また、第１無線通信装置４１と第２無線通信装置４２とが接続されると、アンテナ３０を介して受信された高周波信号が無線通信部３４によってベースバンド信号にダウンコンバートされ、ベースバンド信号から得られるビデオ信号がＶＧＡ端子３２から出力される。
【００８９】
ＶＧＡ端子３２から出力されたビデオ信号は、プロジェクタ１２に入力され、このビデオ信号に基づいた映像がプロジェクタ１２によってスクリーン等の投影対象物に投影される。
【００９０】
以上に説明したように、本発明の第２の実施の形態に係る無線通信システムは、本発明の第１の実施の形態に係る無線通信システム１が有する効果に加えて、第２無線通信装置４２の第２発光部３１の発光状態を選択させることができるため、第２無線通信装置４２の増設等によるシステム構成の変化に柔軟に適応することができる。
【００９１】
（第３の実施の形態）
以下、本発明の第３の実施の形態について説明する。なお、本発明の第２の実施の形態に係る無線通信システムは、本発明の第２の実施の形態に係る無線通信システムに対して、第２無線通信装置４２に代えて、第２無線通信装置５２が設けられる。
【００９２】
また、本発明の第３の実施の形態における第２無線通信装置５２は、本発明の第２の実施の形態における第２無線通信装置４２に対して、発光状態決定部３５に代えて、発光状態決定部３８を備えている。
【００９３】
すなわち、図１１に示すように、第２無線通信装置５２は、本発明の第２の実施の形態における第２無線通信装置４２を構成するアンテナ３０と、第２発光部３１と、ＶＧＡ端子３２と、発光制御部３３と、発光状態情報送信部３６とに加えて、発光状態決定部３８を備えている。
【００９４】
発光状態決定部３８は、ＣＰＵ等のプロセッサによって構成され、他の第２無線通信装置によって送信された発光状態情報に基づいて、他の第２無線通信装置とは異なる発光状態を第２発光部３１の発光状態として決定するようになっている。
【００９５】
具体的には、発光状態決定部３８は、他の第２無線通信装置によって送信され、無線通信部３４に受信されたビーコンフレームに含まれる発光状態情報に基づいて、他の第２無線通信装置の第２発光部の発光色を検出し、検出した発光色と異なる発光色を第２発光部３１の発光状態として決定するようになっている。
【００９６】
以上のように構成された無線通信システムのペアリング動作については、本発明の第２の実施の形態において、図９および図１０を参照して説明したペアリング動作と同一であるため、説明を省略する。
【００９７】
以上に説明したように、本発明の第３の実施の形態に係る無線通信システムは、本発明の第２の実施の形態に係る無線通信システムが有する効果に加えて、他の第２無線通信装置の第２発光部の発光色と異なる発光色を第２発光部３１の発光状態として決定するため、第２発光部３１の発光色を他の第２無線通信装置の第２発光部の発光色と異なるように設定するためにかかる手間を省くことができる。
【符号の説明】
【００９８】
１  無線通信システム
１０  ホストＰＣ
１１、４１  第１無線通信装置
１２、１２ａ、１２ｂ  プロジェクタ
１３、１３ａ、１３ｂ、４２、５２  第２無線通信装置
２０  アンテナ
２１  選択ボタン
２２、２２ａ、２２ｂ  第１発光部
２３、３２  ＶＧＡ端子
２４、３４  無線通信部
２５  発光状態記憶部
２６、３３  発光制御部
２７  ペアリング部
３０  アンテナ
３１、３１ａ、３１ｂ  第２発光部
３５、３８  発光状態決定部
３６  発光状態情報送信部
【先行技術文献】
【特許文献】
【００９９】
【特許文献１】特開２００８−２７１２６５号公報
【非特許文献】
【０１００】
【非特許文献１】WiMedia Alliance、"MAC Specification: RELEASE 1.5"、［online］、Ｄｅｃｅｍｂｅｒ １，２００９、［平成２４年２月２３日検索］、インターネット＜ＵＲＬ：http://www.wimedia.org/en/docs/091819r01aWM_BOD-only-Specification_1.5.pdf＞
【図１】
0006040541.tif 000002
【図２】
0006040541.tif 000003
【図３】
0006040541.tif 000004
【図４】
0006040541.tif 000005
【図５】
0006040541.tif 000006
【図６】
0006040541.tif 000007
【図７】
0006040541.tif 000008
【図８】
0006040541.tif 000009
【図９】
0006040541.tif 000010
【図１０】
0006040541.tif 000011
【図１１】
0006040541.tif 000012